【手続補正書】
【提出日】平成20年9月8日(2008.9.8)
【手続補正１】
【補正対象書類名】明細書
【補正対象項目名】特許請求の範囲
【補正方法】変更
【補正の内容】
【特許請求の範囲】
【請求項１】  オペレーティング・システムによっては認知されない所定の特定キーと、予め設定されている付加キーとを組み合わせて押下することによって特定の処理を実行する情報処理装置であって、
上記特定キー及び上記付加キーを含む複数のキーが配列されてなるキー入力手段と、
上記特定キーが押下されていないが当該特定キーが継続的に押下されている状態と同一の状態であるロック状態と、上記特定キーが押下されていない状態と同一の状態であるアンロック状態とを設けた特定キーロック機構を処理するファームウェアを動作させ、上記キー入力手段に対して与えられる入力操作を監視して制御する組み込み制御手段と、
少なくとも上記特定キーロック機構の状態を提示するユーザ・インターフェースを含む各種情報の表示及び上記キー入力手段に対する制御を行うソフトウェアであるユーティリティを動作させる制御手段とを備え、
上記組み込み制御手段には、上記キー入力手段に対する上記特定キー以外のキーである通常キーの押下又はリリースに応じた情報を上位のシステムへと通知する機能を有する第１の入出力ポートと、上記ユーティリティと通信を行う上記第１の入出力ポートとは論理的に異なる第２の入出力ポートとが実装され、
上記組み込み制御手段は、上記ファームウェアを動作させ、上記特定キーの押下又はリリースに応じた情報を、上記第２の入出力ポートを介して、上記制御手段が動作させる上記ユーティリティへと通知し、
上記制御手段は、上記ユーティリティを動作させ、上記第２の入出力ポートを介して、上記組み込み制御手段が動作させる上記ファームウェアの状態を取得するとともに、上記ファームウェアに対して、上記特定キーロック機構が有効な状態であるイネーブル状態と、上記特定キーロック機構が無効な状態であるディセーブル状態とのいずれかの状態を設定すること
を特徴とする情報処理装置。
【請求項２】  各種情報を表示する表示手段を備え、
上記制御手段は、上記ユーティリティを動作させ、上記特定キーロック機構を上記イネーブル状態又は上記ディセーブル状態のいずれかの状態に設定するための設定用ユーザ・インターフェースを上記表示手段に表示すること
を特徴とする請求項１記載の情報処理装置。
【請求項３】  上記制御手段は、上記特定キーロック機構を上記イネーブル状態又は上記ディセーブル状態のいずれかの状態に設定するために、上記設定用ユーザ・インターフェースに対する入力操作が行われた場合には、上記ユーティリティを動作させ、上記特定キーロック機構の状態を遷移させる旨の状態遷移指示を、上記第２の入出力ポートを介して、上記組み込み制御手段が動作させる上記ファームウェアに対して通知すること
を特徴とする請求項２記載の情報処理装置。
【請求項４】  上記組み込み制御手段は、上記ファームウェアを動作させ、上記状態遷移指示に応じて、上記特定キーロック機構を上記イネーブル状態又は上記ディセーブル状態のいずれかの状態に遷移させること
を特徴とする請求項３記載の情報処理装置。
【請求項５】  各種情報を表示する表示手段を備え、
上記制御手段は、上記特定キーロック機構が上記イネーブル状態である場合には、上記ユーティリティを動作させ、上記特定キーロック機構が上記イネーブル状態である旨を示す状態提示用ユーザ・インターフェースを上記表示手段に表示すること
を特徴とする請求項１記載の情報処理装置。
【請求項６】  上記制御手段は、上記特定キーロック機構が上記ディセーブル状態である場合には、上記ユーティリティを動作させ、上記状態提示用ユーザ・インターフェースを上記表示手段に表示しない、又は上記特定キーロック機構が上記ディセーブル状態である旨を示す上記状態提示用ユーザ・インターフェースを上記表示手段に表示すること
を特徴とする請求項５記載の情報処理装置。
【請求項７】  上記制御手段は、上記ユーティリティを動作させ、上記特定キーが上記ロック状態であるか上記アンロック状態であるかに応じて、上記状態提示用ユーザ・インターフェースの表示形態を変化させること
を特徴とする請求項５記載の情報処理装置。
【請求項８】  上記組み込み制御手段は、上記ファームウェアを動作させ、上記特定キーロック機構を上記ロック状態又は上記アンロック状態のいずれかの状態に遷移させた場合には、上記第２の入出力ポートを介して、上記特定キーロック機構を状態遷移させた旨を示す情報を上記制御手段が動作させる上記ユーティリティに対して通知すること
を特徴とする請求項１記載の情報処理装置。
【請求項９】  上記組み込み制御手段は、上記特定キーロック機構が上記イネーブル状態且つ上記ロック状態である場合に、上記付加キー単体が押下されたことを取得した場合には、上記ファームウェアを動作させ、上記特定キーと上記付加キーとを組み合わせて押下することによって実行される上記特定の処理を示すイベントメッセージを、上記第２の入出力ポートを介して、上記制御手段が動作させる上記ユーティリティに対して送信すること
を特徴とする請求項１記載の情報処理装置。
【請求項１０】  上記制御手段は、上記ユーティリティを動作させ、上記イベントメッセージに応じて、上記特定キーと上記付加キーとを組み合わせて押下することによって実行される上記特定の処理を実行すること
を特徴とする請求項９記載の情報処理装置。
【請求項１１】  上記組み込み制御手段は、上記特定キーロック機構が上記イネーブル状態又は上記ディセーブル状態のいずれかの状態である場合に、上記特定キーが押下された状態が保持されたまま、上記付加キー単体が押下されたことを取得した場合には、上記ファームウェアを動作させ、上記特定キーと上記付加キーとが同時に押下された旨を示す情報を、上記第２の入出力ポートを介して、上記制御手段が動作させる上記ユーティリティに対して通知すること
を特徴とする請求項１記載の情報処理装置。
【請求項１２】  上記制御手段は、上記ユーティリティを動作させ、上記特定キーと上記付加キーとが同時に押下された旨を示す情報に応じて、上記特定キーと上記付加キーとを組み合わせて押下することによって実行される上記特定の処理を実行すること
を特徴とする請求項１１記載の情報処理装置。
【請求項１３】  上記組み込み制御手段は、上記特定キーロック機構が上記イネーブル状態又は上記ディセーブル状態のいずれかの状態である場合に、上記付加キーとして設定されていないキー単体が押下されたことを取得した場合には、上記ファームウェアを動作させ、押下された上記キーに応じたスキャンコードを示すイベントメッセージを、上記第１の入出力ポートを介して、上記上位のシステムに対して送信すること
を特徴とする請求項１記載の情報処理装置。
【請求項１４】  上記組み込み制御手段は、上記ファームウェアを動作させ、電源状態の変化に応じて、上記特定キーロック機構の状態を遷移させること
を特徴とする請求項１記載の情報処理装置。
【請求項１５】  上記組み込み制御手段は、上記電源状態を動作状態からスタンバイ状態に変化させた場合には、上記ファームウェアを動作させ、上記特定キーロック機構の上記イネーブル状態又は上記ディセーブル状態の遷移については電源状態遷移前の状態を保持させるとともに、上記アンロック状態へと遷移させること
を特徴とする請求項１４記載の情報処理装置。
【請求項１６】  上記組み込み制御手段は、上記電源状態を動作状態から休止状態に変化させた場合には、上記ファームウェアを動作させ、上記特定キーロック機構を上記ディセーブル状態且つ上記アンロック状態へと遷移させること
を特徴とする請求項１４記載の情報処理装置。
【請求項１７】  上記組み込み制御手段は、上記電源状態をスタンバイ状態から動作状態に変化させた場合には、上記ファームウェアを動作させ、上記特定キーロック機構の上記イネーブル状態又は上記ディセーブル状態の遷移については電源状態遷移前の状態を保持させるとともに、上記アンロック状態へと遷移させること
を特徴とする請求項１４記載の情報処理装置。
【請求項１８】  上記組み込み制御手段は、上記電源状態を休止状態から動作状態に変化させた場合には、上記ファームウェアを動作させ、上記特定キーロック機構を上記ディセーブル状態且つ上記アンロック状態へと遷移させること
を特徴とする請求項１４記載の情報処理装置。
【請求項１９】  オペレーティング・システムによっては認知されない所定の特定キーと、予め設定されている付加キーとを組み合わせて押下することによって特定の処理を実行する情報処理方法であって、
上記特定キーが押下されていないが当該特定キーが継続的に押下されている状態と同一の状態であるロック状態と、上記特定キーが押下されていない状態と同一の状態であるアンロック状態とを設けた特定キーロック機構を処理するファームウェアを動作させ、上記特定キー及び上記付加キーを含む複数のキーが配列されてなるキー入力手段に対して与えられる入力操作を監視し、
上記キー入力手段に対する上記特定キー以外のキーである通常キーの押下又はリリースに応じた情報を上位のシステムへと通知する機能を有する第１の入出力ポートとは論理的に異なる入出力ポートであって、少なくとも上記特定キーロック機構の状態を提示するユーザ・インターフェースを含む各種情報の表示及び上記キー入力手段に対する制御を行うソフトウェアであるユーティリティと通信を行う第２の入出力ポートを介して、上記特定キーの押下又はリリースに応じた情報を上記ユーティリティへと通知し、
上記ユーティリティを動作させ、上記第２の入出力ポートを介して、上記ファームウェアの状態を取得するとともに、上記ファームウェアに対して、上記特定キーロック機構が有効な状態であるイネーブル状態と、上記特定キーロック機構が無効な状態であるディセーブル状態とのいずれかの状態を設定すること
を特徴とする情報処理方法。
【手続補正２】
【補正対象書類名】明細書
【補正対象項目名】００１９
【補正方法】削除
【補正の内容】
【手続補正３】
【補正対象書類名】明細書
【補正対象項目名】００２０
【補正方法】削除
【補正の内容】
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】削除
【補正の内容】
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】削除
【補正の内容】